(57)【要約】      （修正有）【課題】通常のナット回し操作による締付方法だけで、ナット脱落防止機能を持たせるボルト・ナットを提供する。【解決手段】弾力性のある素材で成型された可動スプリング６をボルト２のねじ部分に設けたスリット部４に、あるいは、ねじ部と円柱軸部５から成る円柱軸部に装備する。通常のナット回し操作による締結後、可動スプリングの原型復元力により自動的にナットの弛み、戻り作動を阻止してナットの脱落を確実に防止する。ナットの締結およびナット取外しも容易に行えるシンプル構造なので、締結後のヒューマンエラーを完全に除去した安全性と経済性を併せ持つ施工が可能となり、ナットの脱落防止を確実に実現できる。【選択図】  図１
2004257546.tif 000002
【特許請求の範囲】
【請求項１】
ボルト（２）、ナット（３）、からなるボルト・ナット組み（１）において、ボルト（２）のねじ部分にスリット部（４）を設け、そのスリット部（４）の溝部内径は、ねじ部の谷内径より小さい形状とし、そのスリット部（４）の両端に可動スプリング可動用穴（７）と可動スプリング取付用穴（８）あるいは、可動スプリング固定用スリット（９）を設けたことを特徴とする、ナット脱落防止機構付きボルト。
【請求項２】
ボルト（２）、ナット（３）、からなるボルト・ナット組み（１）において、ボルト（２）にねじ部と円柱軸部（５）を設け、その円柱軸部（５）の直径は、ねじ部の谷内径より小さい形状とし、その円柱軸部（５）の両端に可動スプリング可動用穴（７）と可動スプリング取付用穴（８）あるいは、可動スプリング固定用スリット（９）を設けたことを特徴とする、ナット脱落防止機構付きボルト。
【発明の詳細な説明】
【０００１】
【発明の属する技術分野】
本発明は、ボルト・ナットによる締結後のナットの脱落防止装置に関する。
【０００２】
【従来の技術】従来の、ボルト・ナット締結後のナット脱落防止方法としては、
締結後に割りピンを挿入したり、タッピンねじをねじ込んだり、弾性リングを装着したナットやもどり止めピンを装填したナットを用いたり、軟質プラスチックリングをボルトのくびれ部と、ねじ部の境目に付着させたり等、種々の方法が用いられてきた。
【０００３】
【発明が解決しようとする課題】
しかしながら、これらの方法は、いずれも複雑かつ作業性が悪く、不確実であった。また確実性を増す為に行う補修工事や補修部品管理を伴う方法は施工に係わる総合的品質を確実に保持することが困難であるばかりでなく、経済的コストの面でも問題があった。
【０００４】
特に締結後の補修工事を必要とする方法は、作業忘れというヒューマンエラーをどうしても避けることができず、ナットの脱落を完全に防止することができないという重大な問題点があった。
【０００５】
本発明の目的は、何等加工を施さないナットと、ボルトの一部分に脱落防止用の可動スプリングを装備したボルトで構成するだけで、通常のナット回し操作による締結方法のみで確実なナット脱落防止機能を持たせる。
【０００６】
ナットの締結およびナット取外しも容易に行えるシンプルな構成で、補修工事を必要としないヒューマンエラーを除去した、高信頼性を有する脱落防止機能付のボルト・ナットを提供するのを目的とする。
【０００７】
【課題を解決するための手段】
上記目的を達成するため、本発明のナット脱落防止機構付きボルトは、弾力性のある素材で成型された可動スプリングをボルトのねじ部分に設けたスリット部、あるいは、ねじ部と円柱軸部から成るボルトの円柱軸部に装備する。そして通常のナットの締結後、その可動スプリングの可動性と原型復元力を利用するだけで、自動的に脱落防止を可能にする。
【０００８】
ボルトのねじ部あるいは円柱軸部からナットを挿入し、通常のナット回し操作により、可動スプリングの可動部を圧縮させながら通過させて締結を完了すると、可動スプリングはその原型復元力によってもとの大きさの形状に戻り、自動的にナットの弛み、戻り作動を阻止してナットの脱落を防止する。
【０００９】
可動スプリングの可動性と原型復元力のみを利用して、ナット締結およびナット取外しも容易に行えるシンプル構造なので、締結後の補修工事を何等必要としない、ヒューマンエラーを完全に除去した施工が可能となりナットの脱落防止を確実に実現できる。
【００１０】
【発明の実施の形態】
以下に本発明の実施の形態を図面に基づいて説明する。
【００１１】
本発明の一実施例を図１、図２に示す。ボルト・ナット組（１）の基本構成は、ボルト（２）、ナット（３）、可動スプリング（６）である。
【００１２】
本発明の一実施例であるナット脱落防止機構付きボルトの側面断面図を図３に示す。ナット（３）は一般的な規格品で通常の回し操作で締結できるものを使用し、ボルト（２）のねじ部分に設けたスリット部（４）には可動スプリング（６）が装備され、ナット締結後の可動スプリングの原型復元力によって、自動的にナットの弛み、戻り作動を阻止してナット脱落を防止する。
【００１３】
本発明の一実施例であるナット脱落防止機構付きボルトの側面断面図を図４に示す。ナット（３）は一般的な規格品で通常の回し操作で締結できるものを使用し、ボルト（２）のねじ部分に設けた円柱軸部（５）には可動スプリング（６）が装備され、ナット締結後の可動スプリングの原型復元力によって、自動的にナットの弛み、戻り作動を阻止してナット脱落を防止する。
【００１４】
【発明の効果】上述の構成によれば、締結に必要不可欠な通常のナットの回し操作のみで、ボルトの可動スプリング可動部を通過させた締結後に自動的にナット脱落を確実に防止できる。このため、ナットを回す操作以外は不要となり、締結後の補修工事を必要としないヒューマンエラーを完全に除去した高信頼性を有するボルト・ナットによる締結の施工を容易かつ安全に行うことができる。
【図面の簡単な説明】
【図１】請求項２で述べた本発明の使用状態の一例を示すもので、ナット（３）とボルト（２）のねじ部分にスリット部（４）を設け、その両端に可動スプリング（６）の可動スプリング可動用穴（７）と可動スプリング固定用スリット（９）で構成されるボルト・ナット組み（１）の側面外観図である。
【図２】請求項３で述べた本発明の使用状態の一例を示すもので、ナット（３）とボルト（２）にねじ部と円柱軸部（５）を設け、その両端に可動スプリング（６）の可動スプリング可動用穴（７）と可動スプリング固定用穴（８）で構成されるボルト・ナット組み（１）の側面外観図である。
【図３】請求項２で述べた本発明の使用状態の一例を示すもので、スリット部（４）の両端に可動スプリング可動用穴（７）と可動スプリング固定用スリット（９）とで構成されるボルト・ナット組み（１）の側面断面図である。
【図４】請求項３で述べた本発明の使用状態の一例を示すもので、円柱軸部（５）の両端に可動スプリング可動用穴（７）と可動スプリング固定用穴（８）で構成されるボルト・ナット組み（１）の側面断面図である。
【符号の説明】
１  ボルト・ナット組み
２  ボルト
３  ナット
４  スリット部
５  円柱軸部
６  可動スプリング
７  可動スプリング可動用穴
８  可動スプリング取付用穴
９  可動スプリング固定用スリット
【図１】
2004257546.tif 000003
【図２】
2004257546.tif 000004
【図３】
2004257546.tif 000005
【図４】
2004257546.tif 000006